(57)【要約】【目的】 筆記用具としての鉛筆の外観を殊更に変えることなく筆記芯収容部の一部をおまけ的な小物品を収容する空間として利用する新規な鉛筆を提案するものである。【構成】 一般に筆記用具として使用されている鉛筆１において、先端を削って使用する筆記部の反対側軸先端部の所定範囲に、筆記芯８を挿入せずに小物品３を収容することができる筆記芯８よりも径の太い筒状空間部２を形成しながら、外観的には通常の鉛筆と異ならないように仕上げていることを特徴とする小物品収容鉛筆である。【選択図】   図１
2007176089.tif 000002
【特許請求の範囲】
【請求項１】
一般に筆記用具として使用されている鉛筆において、先端を削って使用する筆記部の反対側軸先端部の所定範囲に、筆記芯を挿入せずに小物品を収容することができる筆記芯よりも径の太い筒状空間部を形成しながら、外観的には通常の鉛筆と異ならないように仕上げていることを特徴とする小物品収容鉛筆。
【請求項２】
筆記部と反対側の軸先端部の頂部を樹脂製の尾栓で塞ぎ、しかも該尾栓を適宜な接着手段によって固着し、それにより尾栓が簡単には取外しできないようにされていることを特徴とする請求項１に記載の小物品収容鉛筆。
【請求項３】
接着手段が鉛筆表面の仕上げコーティングに用いる塗料材であることを特徴とする請求項２に記載の小物品収容鉛筆。
【請求項４】
樹脂製の尾栓を接着手段により固着せずに、任意に着脱可能として収容した小物品を自由に出し入れできるようにしたことを特徴とする請求項２に記載の小物品収容鉛筆。
【請求項５】
筒状空間部に収容する小物品が筒状体に束ねた巻紙状のおまけ商品であることを特徴とする請求項１〜請求項４の何れか１つに記載の小物品収容鉛筆。
【請求項６】
巻紙状のおまけ商品が、くじや占い結果を記載したものであることを特徴とする請求項５に記載の小物品収容鉛筆。
【請求項７】
請求項１〜請求項６の何れか1つに記載の、外観上の相違は設けずに筒状空間部に小物品を収容した鉛筆と通常の鉛筆とを組合わせてセットにしたことを特徴とする小物品収容鉛筆セット。
【発明の詳細な説明】
【技術分野】
【０００１】
本発明は、筆記用具としての鉛筆の外観を殊更に変えることなく筆記芯収容部の一部をおまけ的な小物品を収容する空間として利用する新規な鉛筆を提案するものである。
【背景技術】
【０００２】
鉛筆は古くからごく当り前の筆記具として広く普及しており、特に就学児童等にとっては初めて手にする筆記具として安定した需要があり、筆記芯の濃さや柔らかさなど書き味に関する使用感向上を図る研究開発は継続的に行われている。
また、外観上の仕上げとして人気キャラクターをあしらったり、ゲーム的要素を表現して筆記具以外の娯楽性を求めることもそれなりに行われるようになってきている。
【特許文献１】実用新案登録第３０１７１７７号公報
【発明の開示】
【発明が解決しようとする課題】
【０００３】
鉛筆の筆記具としての性能は略完成したものであって更なる向上はそれ程期待することができない。しかし、特にメインとなるユーザーである就学児童向けに需要を拡大するためには何らかの新しいセールスポイントが必要である。
【０００４】
鉛筆外観に人気キャラクターの図柄をあしらったりゲーム要素的な表現を施すこともなされているが、これらは外観デザインの問題であり必ずしも鉛筆そのものの機能性に対しての付加価値であるとは言えない。
【０００５】
そこで、鉛筆そのものとして何らかの機能性を付加することで新規な需要を掘り起こすことが求められているのである。
上記特許文献は、鉛筆自体をセットとして収容しお守りなどと合わせることを提案しているが、鉛筆そのものに収容空間を形成するような発想は示されていない。
【課題を解決するための手段】
【０００６】
本発明は、上記したような従来一般の鉛筆における課題を解消するために研究を重ねた結果創案されたものであり、鉛筆の構造の一部に加工を加えることで小物品を収納させるスペースを確保して新しい娯楽性をも加味し得る新機能を付加することを提案するものであって、より具体的には以下の如くである。
【０００７】
（１）  一般に筆記用具として使用されている鉛筆において、先端を削って使用する筆記部の反対側軸先端部の所定範囲に、筆記芯を挿入せずに小物品を収容することができる筆記芯よりも径の太い筒状空間部を形成しながら、外観的には通常の鉛筆と異ならないように仕上げていることを特徴とする小物品収容鉛筆。
【０００８】
（２）  筆記部と反対側の軸先端部の頂部を樹脂製の尾栓で塞ぎ、しかも該尾栓を適宜な接着手段によって固着し、それにより尾栓が簡単には取外しできないようにされていることを特徴とする前記（１）項に記載の小物品収容鉛筆。
【０００９】
（３）  接着手段が鉛筆表面の仕上げコーティングに用いる塗料材であることを特徴とする前記（２）項に記載の小物品収容鉛筆。
【００１０】
（４）  樹脂製の尾栓を接着手段により固着せずに、任意に着脱可能として収容した小物品を自由に出し入れできるようにしたことを特徴とする前記（２）項に記載の小物品収容鉛筆。
【００１１】
（５）  筒状空間部に収容する小物品が筒状体に束ねた巻紙状のおまけ商品であることを特徴とする前記（１）項〜（４）項の何れか１つに記載の小物品収容鉛筆。
【００１２】
（６）  巻紙状のおまけ商品が、くじや占い結果を記載したものであることを特徴とする前記（５）項に記載の小物品収容鉛筆。
【００１３】
（７）  前記（１）項〜（６）項の何れか1つに記載の、外観上の相違は設けずに筒状空間部に小物品を収容した鉛筆と通常の鉛筆とを組合わせてセットにしたことを特徴とする小物品収容鉛筆セット。
【発明の効果】
【００１４】
一般に筆記用具として使用されている鉛筆において、先端を削って使用する筆記部の反対側軸先端部の所定範囲に、筆記芯を挿入せずに小物品を収容することができる筆記芯よりも径の太い筒状空間部を形成しながら、外観的には通常の鉛筆と異ならないように仕上げていることにより、小物品を収容する筒状空間部を持つことで新機能を実現しながらも、その外観に変化がないことにより使用する者に意外性を与える娯楽性に富んだ新製品とすることが可能となる。
【００１５】
筆記部と反対側の軸先端部の頂部を樹脂製の尾栓で塞ぎ、しかも該尾栓を適宜な接着手段によって固着し、それにより尾栓が簡単には取外しできないようにされていることにより、例えば、収容空間部におまけ的な物品を入れてそれが何であるかを期待させることができるようになるといった新たな魅力を付加した製品展開が可能となる。
【００１６】
接着手段が鉛筆表面の仕上げコーティングに用いる塗料材であることで、通常の表面仕上げ工程と同じ作業により尾栓を取付けることが可能となる。
【００１７】
樹脂製の尾栓を接着手段により固着せずに、任意に着脱可能として収容した小物品を自由に出し入れできるようにしたことにより、本発明鉛筆の購入者は、上記おまけ的物品やそれ以外の同様サイズの他物品を自由に収容空間部に出し入れして使用することが可能となる。
【００１８】
筒状空間部に収容する小物品が筒状体に束ねた巻紙状のおまけ商品であることにより、該形状に相応しい、くじ、シール、占いなどのおまけ物品を収容させた新しいコンセプトの鉛筆製品を展開することが可能となる。
【００１９】
前記（１）項〜（６）項の何れか1つに記載の、外観上の相違は設けずに筒状空間部に小物品を収容した鉛筆と通常の鉛筆とを組合わせてセットにしたことにより、本発明鉛筆そのものを当たり賞品のように取扱った鉛筆セットの如き商品展開が可能となる。
【発明を実施するための最良の形態】
【００２０】
上記してきたような本発明のより具体的な実施の形態を添付図面等を利用しながら以下において説明する。
図１は、本発明の鉛筆１の構成関係を示した説明図面である。
すなわち、これは鉛筆１の軸上端側に円筒形状の空間部２を形成し、そこに収容するに相応しいサイズと形状とされた小物品３を入れる状態を示したものである。
【００２１】
ここでは、例として巻紙状としたおみくじ４を採用する場合を示している。おみくじ４は巻物状にされた上でパイプ５により保持され、その状態で筒状空間部２に収容する。
おみくじ４を収容した後に、鉛筆軸上端の開口部６は成形プラスチックなどによるキャップ７で塞がれるようにする。
【００２２】
このキャップ７は鉛筆売場などで簡単に脱落しないように適宜な固定手段により止める必要があるが、鉛筆１の購入者がおみくじ４を取り出そうとする際にキャップ７の取り外しが困難に成り過ぎないように、適宜な接着力のある固定手段を採用することが好ましい。
【００２３】
このような条件を満たす具体的なものとしては、鉛筆１の軸外表面をコーティング塗装する塗料をキャップ７で開口部６を塞いだ状態で使用することが好適であることを発明者は見出した。
このような塗装コーティングは、通常の鉛筆でも普通に行われているもので、同じ作業工程を利用して本発明の技術目的のひとつである普通の鉛筆との外観上の相違をなくすということが簡単に実現できることになるのである。
【００２４】
本発明鉛筆１の購入者は、キャップ７の継ぎ目部分の塗装を剥がす作業をすることでキャップ７を任意に取外すことができるようになる。キャップ７を外して収容したおみくじ４を取り出し、パイプ４を取除いて巻紙を解くことでおみくじ４の記載内容を確認することになる。
このようなおみくじ鉛筆１は、例えば、神社などのおみくじ販売の新しい形態として提案することも可能である。
【００２５】
また、キャップ７は一度取外した後でも、開口部６を適宜に塞いで止めることができるようにはめ込み固定式などの構造とすることが好ましい。キャップ７によって開口部６を任意に開閉利用することができるようになるので、もともと入っていたおみくじ４を再度入れなおしたり、同程度のサイズの別な小物品３を適宜に収容させるために筒状空間部２を利用することもできるのである。
【００２６】
本発明の鉛筆１は、軸上端部側に小物品３収容用の筒状空間部２を形成しているので、その分の筆記芯８が短くなることになってしまう。しかし、普通に鉛筆を使用する場合においても、軸上端部分まで使い切ることは稀であり、この部分に挿入されている筆記芯８は事実上使われることなく無駄にされているものと考えられる。
その意味においては、本発明は従来無駄にされていた筆記芯８部分をそもそも使用せず、逆にその部分を別の機能目的のために有効利用したものと言いえるのである。
【００２７】
筒状空間部２に予め収容させておく小物品３としては、本発明鉛筆１の購入者が実際に購入した後に意外性を楽しむことができるようなおまけ的意味合いの物が望ましい。勿論、サイズや形状において筒状空間部２に収容できるものとしての制限を受けることになるが、それを踏まえた上で準備したおまけ的小物品３をバリエーションを持たせながら展開することで、需要者のコレクション目的その他の多様な嗜好性に応える商品展開を図ることが可能となる。
【００２８】
例えば、図２にあるように棒状くじ９などを収容せしめ、当たりくじに対して景品を与えるような展開も可能であるし、さまざまな品物やキャラクターを筒状収容部２に納まる形状及びサイズにデフォルメマスコット化して小物品３となし、シリーズ化するような展開も考えられる。つまり図示のような金の延べ棒１０や新幹線マスコット１１など多様な展開が可能である。
【００２９】
また、本発明鉛筆１を販売する際には、１本ずつ販売する場合と１ダースなど複数本をセットとして販売する場合が考えられる。
例えば、１本売りする際にも普通の鉛筆と混ぜた状態として購入者に選択させるようにするとくじ的面白さの要素が加味されて新しい購入意欲を刺激する製品とすることができるようになる。
【００３０】
また、１ダースを箱詰めして販売するような場合にも、１２本すべてを本発明鉛筆１とするのではなく、その中の１本や少数本のみを本発明鉛筆１とすることで、購入者は本発明の鉛筆１を探し出す楽しみなどを得ることができるようになる。
【００３１】
このような販売手法を採る場合には、本発明の特徴の１つである普通の鉛筆と外観上の仕上げ状態を異ならないものとするということが、より大きな意味を持つと理解できる。
また、このような販売手法によれば、本発明鉛筆１と外観上異ならない仕上げ状態となっている従来一般の鉛筆についてもその需要を増大できることも重要な効果と考えられる。
【産業上の利用可能性】
【００３２】
以上説明してきたような本発明によるときは、従来にない新しい機能を備えた意外性のある魅力的な製品として鉛筆を捉えなおすことができ、収容すべきおまけ的小物品についても需要者の嗜好に応じた多様な変化を付けて展開することが可能である。
【００３３】
さらに、販売手法により従来一般的な鉛筆そのものについても新しい需要を掘り起こすことが可能となるもので、産業上の利用可能性において優れた発明であると理解できるものである。
【図面の簡単な説明】
【００３４】
【図１】本発明鉛筆の構成関係をその１例として示した説明図面である。
【図２】本発明鉛筆に収容させる小物品の若干例を示した説明図面である。
【符号の説明】
【００３５】
１  本発明鉛筆
２  筒状空間部
３  小物品
４  おみくじ
５  パイプ
６  開口部
７  キャップ
８  筆記芯
９  棒状くじ
１０  金の延棒マスコット
１１  新幹線マスコット
【図１】
2007176089.tif 000003
【図２】
2007176089.tif 000004